(57)【要約】  パウダー吐出容器は、パウダーが貯蔵される容器本体と；前記容器本体の上側に配置され、使用者により押圧され、一側に吐出穴が形成されるボタン部と；前記ボタン部の押圧により昇降し、上部内側に前記吐出穴と連通する移動穴が形成されるステムと；前記ステムの内側に備えられ、前記容器本体の内部と連通して、パウダーが移動するパウダー移動通路と、空気が移動する空気移動通路とが形成される通路形成部と；前記ステム及び前記通路形成部の下部に結合し、内側に空気を貯蔵するチャンバが形成され、前記ボタン部の押圧により前記チャンバ内の空気を前記空気移動通路を介して前記移動穴に噴射する圧縮チャンバ部と；を含み、前記ボタン部の押圧により前記チャンバから前記移動穴に空気が噴射されることにより、前記容器本体内のパウダーが、前記パウダー移動通路及び前記移動穴を移動して前記吐出穴を介して外部に吐出され得る。【選択図】図１
2021525150.tif 000002
【特許請求の範囲】
【請求項１】
パウダーが貯蔵される容器本体と；
前記容器本体の上側に配置され、使用者により押圧され、一側に吐出穴が形成されるボタン部と；
前記ボタン部の押圧により昇降し、上部内側に前記吐出穴と連通する移動穴が形成されるステムと；
前記ステムの内側に備えられ、前記容器本体の内部と連通して、パウダーが移動するパウダー移動通路と、空気が移動する空気移動通路とが形成される通路形成部と；
前記ステム及び前記通路形成部の下部に結合し、内側に空気を貯蔵するチャンバが形成され、前記ボタン部の押圧により前記チャンバ内の空気を前記空気移動通路を介して前記移動穴に噴射する圧縮チャンバ部と；
を含み、
前記ボタン部の押圧により前記チャンバから前記移動穴に空気が噴射されることにより、前記容器本体内のパウダーが、前記パウダー移動通路及び前記移動穴を移動して前記吐出穴を介して外部に吐出される
ことを特徴とするパウダー吐出容器。
【請求項２】
前記圧縮チャンバ部は、
前記容器本体の上部に結合し、内側に前記ステム及び前記通路形成部に挿入される上部ハウジングと；
前記上部ハウジングの下部に結合して前記空気が貯蔵される前記チャンバを形成する下部ハウジングと；
前記ステムの下部に結合し、前記ボタン部の押圧により前記下部ハウジングの内面に密着して昇降することにより、前記チャンバ内の空気圧を変化させて、前記チャンバ内の空気を前記空気移動通路に移動させるピストンと；
前記下部ハウジングの内側に配置され、前記ピストンを貫通して前記通路形成部の下部に結合し、前記パウダー移動通路を前記容器本体の内部と連通させるノズル部と；を含む
請求項１に記載のパウダー吐出容器。
【請求項３】
前記ピストンには、前記ステムの下部が挿入される収容穴が貫設され、前記ノズル部は、前記収容穴を介して前記ピストンを貫通して前記通路形成部の下部に結合しており、
前記チャンバ内の空気は、前記収容穴内周面と前記ノズル部との間の離間空間を介して前記空気移動通路に移動する
請求項２に記載のパウダー吐出容器。
【請求項４】
前記圧縮チャンバ部は、
前記収容穴の内側に結合して、前記離間空間を介して前記空気移動通路から前記チャンバに空気が流入することを規制する第１逆止弁をさらに含む
請求項３に記載のパウダー吐出容器。
【請求項５】
前記第１逆止弁は、前記収容穴の内側に結合する第１結合部と；前記第１結合部から前記ノズル部の外周面に向かって延設される第１封止部と；を含み、
前記第１封止部は、前記ノズル部の外周面に密着して前記空気移動通路から前記チャンバへの空気の流入を遮断するが、前記ピストンの下降の際には、空気圧により前記ノズル部の外周面から離れて前記チャンバと前記空気移動通路とを連通させる
請求項４に記載のパウダー吐出容器。
【請求項６】
前記第１封止部の少なくとも一部は、前記空気移動通路に向かって上向きに傾斜するように形成される
請求項５に記載のパウダー吐出容器。
【請求項７】
前記ピストンには、前記収容穴の内側に突出する段差部が形成され、
前記第１逆止弁の前記第１結合部が前記段差部に載置され、前記収容穴に挿入された前記ステムの下部により加圧される
請求項５に記載のパウダー吐出容器。
【請求項８】
前記下部ハウジングの内側下端面には、前記チャンバと前記容器本体の内部とを連通させるための少なくとも一つの空気流入穴が形成され、
前記圧縮チャンバ部は、
前記チャンバの空気が前記空気流入穴を介して前記容器本体の内部に移動することを規制する第２逆止弁をさらに含む
請求項２に記載のパウダー吐出容器。
【請求項９】
前記第２逆止弁は、
前記下部ハウジングの内側下端面に結合する第２結合部と；前記第２結合部の一方の端から外側に延設される第２封止部と；を含み、
前記第２封止部は、前記空気流入穴が形成された下部ハウジングの内側下端面に密着して、前記チャンバの空気が前記空気流入穴を介して前記容器本体の内部に移動することを遮断するが、前記ピストンの昇降の際には、前記パウダー移動通路を介して前記容器本体の内部に流入する空気の圧力によって前記下部ハウジングの内側下端面から離れて、前記容器本体の内部と前記チャンバとを連通させる
請求項８に記載のパウダー吐出容器。
【請求項１０】
前記下部ハウジングの下部には、所定の長さだけ下方に延在しており、前記ボタン部の押圧により前記ノズル部が内側を昇降する延長部が形成される
請求項２に記載のパウダー吐出容器。
【請求項１１】
一方の端が前記延長部と結合し、他方の端が前記容器本体の下端面から所定の位置まで延在しており、前記ノズル部を前記容器本体の内部と連通させるチューブをさらに含み、
前記チューブには、他方の端の外周面の少なくとも一部を上方に切開することにより、パウダーの流入口が形成される
請求項１０に記載のパウダー吐出容器。
【発明の詳細な説明】
【技術分野】
【０００１】
本発明は、パウダー吐出容器に係り、さらに詳しくは、チャンバに貯蔵された一定量の空気をピストンで圧縮して空気移動通路を介して外部に排出させることにより、容器本体内に貯蔵されたパウダーを定量吐出することのできるパウダー吐出容器に関する。
【背景技術】
【０００２】
一般に、パウダーは、肌に塗ったときの感触が良く、撥水性が高く、メイク時にさわやかで、自然なメイクなので、女性の化粧品にも多く使われている。
【０００３】
上記のパウダー吐出容器が韓国登録特許第１０−１３７８７１９号（特許文献１）に開示されている。
【０００４】
特許文献１を参照すると、パウダーが貯蔵される容器本体と；前記容器本体の上部に位置し、使用者による押圧有無によって昇降し、その一側にパウダーが吐出されるための吐出穴が形成されるボタン部と；前記ボタン部の下部に結合し、ボタン部の移動によって一緒に移動し、その内側にパウダーが移動するパウダー移動通路と空気が移動する空気移動通路とが分割形成されるステムと；を含み、前記ボタン部の押圧によって前記容器本体内の圧力が変化し、パウダー及び空気がそれぞれ前記パウダーの移動通路及び空気移動通路を通って前記ステムの内部へ移動し、パウダーが空気圧により前記吐出穴を介して噴射されるように構成されているのが特徴である。
【０００５】
このような特許文献１による従来のパウダー吐出容器は、ボタン部を押すと、ステムの下部に結合したピストンによって容器本体内の圧力が変化し、これにより、空気及びパウダーが、ステムの内側に分割形成された空気移動通路及びパウダー移動通路にそれぞれ移動してパウダーの吐出を実現するように構成されることを特徴とするが、パウダーの残りの容量などに応じて空気移動通路に噴出される空気の量が一定ではないため、パウダーの定量吐出が困難になり、使用上の不便を招くという問題があった。
【０００６】
そこで、このような問題を解決できる容器が求められている。
【先行技術文献】
【特許文献】
【０００７】
【特許文献１】韓国登録特許第１０−１３７８７１９号
【発明の概要】
【発明が解決しようとする課題】
【０００８】
本発明は、上記問題を解決するためのものであり、チャンバに貯蔵された一定量の空気をピストンで圧縮して空気移動通路を介して外部に排出させることにより、容器本体内に貯蔵されたパウダーを定量吐出することのできるパウダー吐出容器を提供することをその目的とする。
【０００９】
本発明の技術的な課題は、上述した技術的な課題に何等制限されるものではなく、未言及の他の技術的な課題は、次の記載から当業者にとって明らかに理解できる筈である。
【課題を解決するための手段】
【００１０】
本発明の一実施形態に係るパウダー吐出容器が提供される。前記容器は、パウダーが貯蔵される容器本体と；前記容器本体の上側に配置され、使用者により押圧され、一側に吐出穴が形成されるボタン部と；前記ボタン部の押圧により昇降し、上部内側に前記吐出穴と連通する移動穴が形成されるステムと；前記ステムの内側に備えられ、前記容器本体の内部と連通して、パウダーが移動するパウダー移動通路と、空気が移動する空気移動通路とが形成される通路形成部と；前記ステム及び前記通路形成部の下部に結合し、内側に空気を貯蔵するチャンバが形成され、前記ボタン部の押圧により前記チャンバ内の空気を前記空気移動通路を介して前記移動穴に噴射する圧縮チャンバ部と；を含み、前記ボタン部の押圧により前記チャンバから前記移動穴に空気が噴射されることにより、前記容器本体内のパウダーが、前記パウダー移動通路及び前記移動穴を移動して前記吐出穴を介して外部に吐出されてもよい。
【００１１】
好ましくは、前記圧縮チャンバ部は、前記容器本体の上部に結合し、内側に前記ステム及び前記通路形成部に挿入される上部ハウジングと；前記上部ハウジングの下部に結合して前記空気が貯蔵される前記チャンバを形成する下部ハウジングと；前記ステムの下部に結合し、前記ボタン部の押圧により前記下部ハウジングの内面に密着して昇降することにより、前記チャンバ内の空気圧を変化させて、前記チャンバ内の空気を前記空気移動通路に移動させるピストンと；前記下部ハウジングの内側に配置され、前記ピストンを貫通して前記通路形成部の下部に結合し、前記パウダー移動通路を前記容器本体の内部と連通させるノズル部と；を含んでいてもよい。
【００１２】
また、好ましくは、前記ピストンには、前記ステムの下部が挿入される収容穴が貫設され、前記ノズル部は、前記収容穴を介して前記ピストンを貫通して前記通路形成部の下部に結合しており、前記チャンバ内の空気は、前記収容穴内周面と前記ノズル部との間の離間空間を介して前記空気移動通路に移動してもよい。
【００１３】
さらに、好ましくは、前記圧縮チャンバ部は、前記収容穴の内側に結合して、前記離間空間を介して前記空気移動通路から前記チャンバに空気が流入することを規制する第１逆止弁をさらに含んでいてもよい。
【００１４】
さらにまた、好ましくは、前記第１逆止弁は、前記収容穴の内側に結合する第１結合部と；前記第１結合部から前記ノズル部の外周面に向かって延設される第１封止部と；を含み、前記第１封止部は、前記ノズル部の外周面に密着して前記空気移動通路から前記チャンバへの空気の流入を遮断するが、前記ピストンの下降の際には、空気圧により前記ノズル部の外周面から離れて前記チャンバと前記空気移動通路とを連通させてもよい。
【００１５】
さらにまた、好ましくは、前記第１封止部の少なくとも一部は、前記空気移動通路に向かって上向きに傾斜するように形成されてもよい。
【００１６】
さらにまた、好ましくは、前記ピストンには、前記収容穴の内側に突出する段差部が形成され、前記第１逆止弁の前記第１結合部が前記段差部に載置され、前記収容穴に挿入された前記ステムの下部により加圧されてもよい。
【００１７】
さらにまた、好ましくは、前記下部ハウジングの内側下端面には、前記チャンバと前記容器本体の内部とを連通させるための少なくとも一つの空気流入穴が形成され、前記圧縮チャンバ部は、前記チャンバの空気が前記空気流入穴を介して前記容器本体の内部に移動することを規制する第２逆止弁をさらに含んでいてもよい。
【００１８】
さらにまた、好ましくは、前記第２逆止弁は、前記下部ハウジングの内側下端面に結合する第２結合部と；前記第２結合部の一方の端から外側に延設される第２封止部と；を含み、前記第２封止部は、前記空気流入穴が形成された下部ハウジングの内側下端面に密着して、前記チャンバの空気が前記空気流入穴を介して前記容器本体の内部に移動することを遮断するが、前記ピストンの上昇の際には、前記パウダー移動通路を介して前記容器本体の内部に流入する空気の圧力によって前記下部ハウジングの内側下端面から離れて、前記容器本体の内部と前記チャンバとを連通させてもよい。
【００１９】
さらにまた、好ましくは、前記下部ハウジングの下部には、所定の長さだけ下方に延在しており、前記ボタン部の押圧により前記ノズル部が内側を昇降する延長部が形成されてもよい。
【００２０】
さらにまた、好ましくは、一方の端が前記延長部と結合し、他方の端が前記容器本体の下端面から所定の位置まで延在しており、前記ノズル部を前記容器本体の内部と連通させるチューブをさらに含み、前記チューブには、他方の端の外周面の少なくとも一部を上方に切開することにより、パウダーの流入口が形成されてもよい。
【発明の効果】
【００２１】
本発明によれば、一定量の空気を貯蔵するチャンバを形成し、チャンバに貯蔵された一定量の空気をピストンで圧縮して空気移動通路を介して外部に排出させるように構成することにより、容器本体内に貯蔵されたパウダーの量とは関係なく、定量のパウダーをパウダー移動通路に吸い込んで外部に吐出することができる。
【図面の簡単な説明】
【００２２】
【図１】本発明の一実施形態に係るパウダー吐出容器の分解斜視図である。
【図２】本発明の一実施形態に係るパウダー吐出容器の結合斜視図である。
【図３】本発明の一実施形態に係るパウダー吐出容器の断面図である。
【図４】本発明の一実施形態に係るパウダー吐出容器の通路形成部を示す図である。
【図５】本発明の一実施形態に係るパウダー吐出容器の圧縮チャンバ部を示す図である。
【図６】本発明の一実施形態に係るパウダー吐出容器のボタン部と上部ハウジングとの結合関係を示す図である。
【図７】本発明の一実施形態に係るパウダー吐出容器の通路形成部と上部ハウジングとの結合関係を示す図である。
【図８】本発明の一実施形態に係るパウダー吐出容器の例示的な動作を示す図である。
【図９ａ】本発明の一実施形態に係るパウダー吐出容器の例示的な動作を示す図である。
【図９ｂ】本発明の一実施形態に係るパウダー吐出容器の例示的な動作を示す図である。
【発明を実施するための形態】
【００２３】
本発明の詳細な説明の欄において引用される図面をより十分に理解するために、各図面に関する簡単な説明が提供される。
以下、添付図面に基づき、本発明に係る実施形態について説明する。各図面の構成要素に参照符号を付するに当たって、同じ構成要素に対しては、たとえ異なる図面の上に示されているとしても、できる限り同じ符号を有するようにしている。また、本発明の実施形態について説明するに当たって、関連する公知の構成又は機能についての具体的な説明が本発明の実施形態への理解を妨げると認められる場合には、その詳細な説明は省略する。さらに、以下において、本発明の実施形態について説明するが、本発明の技術的思想はこれに何等限定又は制限されるものではなく、当業者によって変形されて種々に実施され得る。一方、以下に記載される便宜上の上下左右の方向は、図面を基準としたものであり、当該方向に本発明の権利範囲が必ずしも限定されることはない。
【００２４】
明細書の全般に亘って、ある部分が他の部分と「連結」されているとしたとき、これは、「直接的に連結」されている場合だけではなく、これらの間に他の素子を挟んで「間接的に連結」されている場合も含む。明細書の全般に亘って、ある部分がある構成要素を「含む」としたとき、これは、特に断りのない限り、他の構成要素を除外するものではなく、他の構成要素をさらに含んでいてもよいということを意味する。なお、本発明の実施形態の構成要素について説明するに当たって、第１、第２、Ａ、Ｂ、（ａ）、（ｂ）などの用語を使用することができる。これらの用語は、その構成要素を他の構成要素と区別するためのものに過ぎず、これらの用語によって当該構成要素の本質や順序又は順番などが限定されることはない。
【００２５】
図１は、本発明の一実施形態に係るパウダー吐出容器の分解斜視図であり、図２は、本発明の一実施形態に係るパウダー吐出容器の結合斜視図であり、図３は、本発明の一実施形態によるパウダー吐出容器の断面図であり、図４は、本発明の一実施形態に係るパウダー吐出容器の通路形成部示す図であり、図５は、本発明の一実施形態に係るパウダー吐出容器の圧縮チャンバ部を示す図である。
【００２６】
また、図６は、本発明の一実施形態に係るパウダー吐出容器のボタン部と上部ハウジングとの結合関係を示す図であり、図７は、本発明の一実施形態に係るパウダー吐出容器の通路形成部と上部ハウジングとの結合関係を示す図である。
【００２７】
図１から図７を参照すると、パウダー吐出容器は、容器本体１００、ボタン部２００、移動部３００、開閉部材４００、圧縮チャンバ部５００、チューブ６００、スクリューキャップ７００、ショルダー部８００及びオーバーキャップ９００を含んでいてもよい。
【００２８】
容器本体１００は、粉末状のパウダーを貯蔵するためのものであり、その上部には、内部に貯蔵されたパウダーを排出するための排出口１１０が形成されてもよい。このような容器本体１００の排出口１１０を介して圧縮チャンバ部５００が容器本体１００の内部に挿入されて排出口１１０の上部を閉鎖するように結合してもよい。一実施形態において、排出口１１０の上端には、圧縮チャンバ部５００を結合するためのガスケットＲが備えられてもよい。
【００２９】
ボタン部２００は、容器本体１００の上部に移動部300（特に、ステム３１０）に対して回転可能に結合し、使用者による押圧有無によって昇降し、ステム３１０及び圧縮チャンバ部５００に圧力を伝達するものであって、一側にパウダーが吐出される吐出穴２１０が形成されてもよい。
【００３０】
また、ボタン部２００の内部上側には、開閉部材４００の昇降をガイドするガイド管２２０が備えられてもよい。ガイド管２２０の両側には、開閉部材４００の垂直方向の移動を案内するために、開閉部材４００の昇降突起４３０が挿入される垂直ガイド溝２２１が形成されてもよい。
【００３１】
また、ボタン部２００の内周面には、ボタン部２００の昇降移動を制限および／または案内するガイド突起２３０が備えられてもよい。このようなガイド突起２３０は、通常の保管状態では、圧縮チャンバ部５００の上部ハウジング５１０に形成された下降防止爪５１２の上方に位置してボタン部２００の下降を防止し、使用のためにボタン部２００を第１方向に回転する時には、上部ハウジング５１０に形成されたガイド溝５１１の上方に位置してガイド溝５１１に沿って移動してボタン部２００の昇降を可能にする。
【００３２】
移動部３００は、使用者がボタン部２００に加えた圧力を圧縮チャンバ部５００に伝達し、圧縮チャンバ部５００に貯蔵された空気と容器本体１００に貯蔵されたパウダーとを外部に伝達させるためのものであり、ステム３１０と通路形成部３２０とを含んでいてもよい。
【００３３】
ステム３１０は、ボタン部２００の下部に結合し、ボタン部２００と共に昇降できる。このとき、ステム３１０の内側上部には、ボタン部２００の操作によりパウダーが吐出穴２１０方向に移動することを可能にする移動穴３１１が形成され、その一側には、移動穴３１１を移動するパウダーが吐出穴２１０を介して吐出されるように、吐出穴２１０と連通する連通穴３１２が形成されてもよい。
【００３４】
また、ステム３１０の上端部には、開閉部材４００の昇降をガイドするために、外周面の両側に螺旋状のガイド溝３１３が形成されてもよい。ボタン部２００が第１方向又はその逆の第２方向に回転すると、開閉部材４００の昇降突起４３０がこのような螺旋状のガイド溝３１３に沿って移動し、開閉部材４００の昇降が行われる。
【００３５】
また、ステム３１０の外周面には、ボタン部２００と一緒に回転することを防止するための回転防止突起３１４が形成されてもよい。このような回転防止突起３１４が、圧縮チャンバ部５００の上部ハウジング５１０に形成された回転防止溝５１４に挿入されることにより、開閉部材４００を昇降させるためのボタン部２００が回転する際に、ステム３１０がこれと共に回転することを防止することができる。
【００３６】
また、ステム３１０の上部と圧縮チャンバ部５００の上部ハウジング５１０との間には、ステム３１０の外周面を取り囲むバネＳが設けられてもよい。このようなバネＳは、ステム３１０に対して上向きの弾性力を提供するものなので、使用者が押圧を解除した場合には、ボタン部２００が元の位置に戻ることを可能にする。
【００３７】
また、ステム３１０の下部には、圧縮チャンバ部５００のピストン５３０が結合してもよい。以下、上記のように、ピストン５３０は、圧縮チャンバ部５００のチャンバ５２１内においてボタン部２００の押圧により昇降することにより、チャンバ５２１の空気圧を変化させることができる。
【００３８】
通路形成部３２０は、ステム３１０の内側に備えられ、パウダーおよび空気がそれぞれ移動するパウダー移動通路３２１および空気移動通路３２２が分割形成されてもよい。例えば、パウダー移動通路３２１は、通路形成部３２０を長手方向に貫通する中空状に形成され、空気移動通路３２２は、通路形成部３２０の外面を長手方向に凹ませることにより形成されてもよい。一方、パウダー移動通路３２１および空気移動通路３２２の上部は、ステム３１０の移動穴３１１と連通するように構成されてもよく、これによりパウダー移動通路３２１および空気移動通路３２２を通って上側に移動したパウダー及び空気が吐出穴２１０に吐出されることが可能となる。
【００３９】
空気移動通路３２２の上部では、空気移動通路３２２の直径または幅が小さくなり、空気加速穴３２２−１が形成されてもよい。空気は、空気加速穴３２２−１を通過しながら、ベンチュリ効果（ｖｅｎｔｕｒｉ  ｅｆｆｅｃｔ）によって速度が上昇し、圧力が低下する。このような空気がステム３１０の移動穴３１１及び吐出穴２１０に噴射されるために、移動穴３１１とパウダーの流入口６１０との間の空気圧差が増大する。これにより、本発明では、容器本体１００に貯蔵されたパウダーをパウダー移動通路３２１に吸い込んで空気と共に吐出穴２１０に吐出することができる。
【００４０】
開閉部材４００は、ステム３１０の上部に設けられており、移動穴３１１を開閉することができる。例えば、開閉部材４００は、ボタン部２００が第１方向に回転すると上昇して移動穴３１１を開放し、ボタン部２００が第２方向に回転すると下降して移動穴３１１を閉鎖するように構成されてもよい。このために、開閉部材４００は、第１開閉部４１０、第２開閉部４２０および昇降突起４３０を含んでいてもよい。
【００４１】
第１開閉部４１０は、開閉部材４００の昇降により移動穴３１１を開閉することができる。例えば、第１開閉部４１０は、開閉部材４００が下降した状態ではステム３１０の内周面に密着して移動穴３１１を閉鎖し、開閉部材４００が上昇した状態ではステム３１０の内周面から離れて移動穴３１１を開放するように構成されてもよい。
【００４２】
第２開閉部４２０は、第１開閉部４１０の上部に位置し、ステム３１０の上部内周面に密着した状態で昇降することができる。これにより、連通穴３１２よりも高く位置するステム３１０の内側上部空間を閉鎖することで、移動穴３１１を介して移動するパウダー及び空気が連通穴３１２ではなくステム３１０の上部に流出することを防止することができる。
【００４３】
昇降突起４３０は、開閉部材４００の上部外周面の両側に突設された一対の突起であり、ボタン部２００の回転方向に応じて開閉部材４００を昇降させることができる。具体的には、昇降突起４３０は、ボタン部２００の垂直ガイド溝２２１及びステム３１０の螺旋状のガイド溝３１３に挿入され、ボタン部２００の第１方向またはその逆の第２方向の回転により垂直ガイド溝２２１および螺旋状のガイド溝３１３に沿って移動することにより、開閉部材４００の昇降を案内するように構成されてもよい。
【００４４】
圧縮チャンバ部５００は、少なくとも一部が容器本体１００の内側に挿入されるように排出口１１０に結合するもので、移動部３００の下部が上部内側に挿入されて結合する。このような圧縮チャンバ部５００は、内側に空気を貯蔵するためのチャンバ５２１が形成され、ボタン部２００の押圧によりチャンバ５２１内の空気を空気移動通路３２２を介して移動穴３１１に噴射することができる。このために、圧縮チャンバ部５００は、上部ハウジング５１０、下部ハウジング５２０、ピストン５３０、ノズル部５４０、第１逆止弁（ｃｈｅｃｋ  ｖａｌｖｅ）５５０及び第２逆止弁５６０を含んでいてもよい。
【００４５】
上部ハウジング５１０は、容器本体の上部に結合し、中心が貫通しており、内側にステム３１０及び通路形成部３２０が挿入され得る。このとき、上部ハウジング５１０の内周面には、ステム３１０の回転防止突起３１４が挿入される回転防止溝５１４が回転防止突起３１４の数及び形状に対応して形成されてもよい。
【００４６】
一方、上部ハウジング５１０の上部外周面の両側には、ボタン部２００が昇降するための空間を形成するガイド溝５１１と、ボタン部２００が下方に移動するのを防止する下降防止爪５１２とが備えられてもよい。また、一実施形態において、ガイド溝５１１及び下降防止爪５１２には、ボタン部２００の第１方向またはその逆の第２方向への回転が完了した状態でボタン部２００の任意の回転を防止するために、ボタン部２００のガイド突起２３０を固定する固定突起５１３が備えられてもよい。
【００４７】
また、上部ハウジング５１０の上部には、ステム３１０に弾性力を提供してボタン部２００を戻すバネＳを支持するためのバネ支持部５１５が備えられてもよい。
【００４８】
下部ハウジング５２０は、容器本体１００の内側に挿入され、上部ハウジング５１０の下部に結合して空気が貯蔵されるチャンバ５２１を形成してもよい。また、下部ハウジング５２０の下部には、ノズル部５４０が挿入されて昇降する延長部５２３が所定の長さだけ下方に延在していてもよい。また、下部ハウジング５２０には、内側下端面を貫通してチャンバ５２１と容器本体１００の内部とを連通させる少なくとも１つの空気流入穴５２２が延長部５２３と離間して設けられてもよい。さらに、下部ハウジング５２０の内側下端面における、延長部５２３と空気流入穴５２２との間の領域には、第２逆止弁５６０が結合する結合溝（図示せず）が凹設されてもよい。
【００４９】
ピストン５３０は、ステム３１０の下部に結合して昇降することにより、チャンバ５２１内の空気圧を変化させて、チャンバ５２１内の空気を空気移動通路３２２に移動させることができる。具体的には、ピストン５３０は、中心部に収容穴５３１が貫設され、このような収容穴５３１の内側にステム３１０が挿入されて結合する。使用者がボタン部２００を押圧するかまたは押圧を解除すると、ピストン５３０の外周面が下部ハウジング５２０の内面に密着してステム３１０と共に昇降することにより、チャンバ５２１内の空気圧を変化させることができる。たとえば、ボタン部２００の押圧によりピストン５３０が下降すると、チャンバ５２１内の空気圧が上昇し、チャンバ５２１内の空気が空気移動通路３２２を介して移動穴３１１及び吐出穴２１０に噴射され、一方、ボタン部２００の押圧解除によりピストン５３０が上昇すると、パウダー移動通路３２１を介して外部から容器本体１００の内部に流入した空気が、空気流入穴５２２を通過してチャンバ５２１の内部に補充される。
【００５０】
ノズル部５４０は、下部ハウジング５２０の内側に配置され、収容穴５３１を介してピストン５３０を貫通し、上端が通路形成部３２０の下部に連結されることでパウダー移動通路３２１を容器本体１００の内部と連通させることができる。このとき、ノズル部５４０の下端は、下部ハウジング５２０の延長部５２３に挿入され、ボタン部２００の押圧によりステム３１０と共に昇降するように構成されてもよい。
【００５１】
一実施形態では、ノズル部５４０の貫通の際に、ピストン５３０の収容穴５３１の内周面とノズル部５４０の外周面は、互いに接触しないように離間していてもよい。この場合、ピストン５３０の下降時、チャンバ５２１の内の圧縮空気は、収容穴５３１の内周面とノズル部５４０との間の離間空間を介して空気移動通路３２２に伝達され得る。
【００５２】
第１逆止弁５５０は、収容穴５３１の内側にノズル部５４０の外周面を取り囲むように結合し、空気が前記離間空間を介して空気移動通路３２２からチャンバ５２１に移動するのを規制することができる。このような第１逆止弁５５０は、第１封止部５５１と第１結合部５５２とを含んでいてもよい。
【００５３】
第１封止部５５１は、第１結合部５５２からノズル部５４０に向かって延設されており、ピストン５３０の昇降に応じてノズル部５４０の外周面に密着するか又はそれから離れていくことにより、空気移動通路３２２からチャンバ５２１への空気の流入を防止したり、チャンバ５２１内の空気が空気移動通路３２２に移動できるようにしたりする。このために、第１封止部５５１の少なくとも１つの領域は、例えば、シリコン等の延性材料からなってもよいが、これに限定されるものではない。また、一実施形態では、第１封止部５５１の少なくとも一部は、開閉動作を行い易くするために、空気移動通路３２２に向かって上向きに傾斜するように形成されてもよい。
【００５４】
第１結合部５５２は、例えば、第１封止部５５１の下端部の外周面に沿って形成される環状の周縁により実現され、収容穴５３１に内側に結合してもよい。第１結合部５５２の結合のために、ピストン５３０には、収容穴５３１の内周面から内側に突出する段差部（図示せず）が形成されてもよい。すなわち、第１結合部５５２は、このような段差部に載置された状態で、収容穴５３１に挿入されたステム３１０の下部により加圧されることにより収容穴５３１の内側に結合するように実現されてもよい。
【００５５】
第２逆止弁５６０は、下部ハウジング５２０の内側下端面に結合して、チャンバ５２１から容器本体１００内への空気の移動（または流出）を規制することができる。このような第２逆止弁５６０は、第２封止部５６１と第２結合部５６２とを含んでいてもよい。
【００５６】
第２封止部５６１は、第２結合部５６２の上端部から外方向に垂直に延設されており、空気流入穴５２２が形成された下部ハウジング５２０の内側下端面に密着するかまたは離れていくことにより、空気流入穴５２２を開閉することができる。このため、第２封止部５６１の少なくとも１つの領域は、例えば、シリコン等の延性材料からなってもよいが、これに限定されるものではない。
【００５７】
第２結合部５６２は、例えば、中心が貫通した環状体であり、第２封止部５６１の内側一端に形成され、下部ハウジング５２０の内側下端面に形成された結合溝（図示せず）に挿入されて結合してもよい。
【００５８】
チューブ６００は、一方の端が下部ハウジング５２０の延長部５２３と結合し、他方の端が容器本体１００の下端面から所定の位置まで延在しており、ノズル部５４０を容器本体１００の内部と連通させることができる。これにより、容器本体１００内のパウダーは、チューブ６００、ノズル部５４０及びパウダー移動通路３２１を経て移動穴３１１に移動できるようになる。
【００５９】
一方、チューブ６００の他方の端では、外周面の少なくとも一部を上方に切開することによりパウダー流入口６１０を形成してもよい。このようなパウダー流入口６１０を介して容器本体１００内のパウダーがチューブ６００内へより容易に流入することができる。
【００６０】
スクリューキャップ７００は、容器本体１００の上部（特に、排出口１１０の外周面）に螺合し、上部ハウジング５１０および／または下部ハウジング５２０の周囲を加圧することにより、圧縮チャンバ部５００を容器本体１００に結合させることができる。
【００６１】
ショルダー部８００は、スクリューキャップ７００を取り囲むようにスクリューキャップ７００の外側に結合しており、上部にオーバーキャップ９００が結合しているため、使用者が不注意でボタン部２００を押すことによってパウダーが吐出されることを防止することができる。
【００６２】
一方、一実施形態では、ショルダー部８００の内周面とスクリューキャップ７００の外周面とが互いに対応する少なくとも１つの領域には、ショルダー部８００とスクリューキャップ７００との結合または分離の際に摩擦力を提供するのための微細突起部（図示せず）が形成されてもよい。
【００６３】
但し、図１から図７に示されるパウダー吐出容器の構成は、例示的なものに過ぎず、本発明のパウダー吐出容器は、これに限定されるものではなく、本発明が適用される実施形態に応じて、種々の変形が実現可能である。
【００６４】
図８は、本発明の一実施形態に係るパウダー吐出容器の例示的な動作を示す図である。
【００６５】
図８を参照すると、開閉部材４００が下降した状態でボタン部２００を第１方向に回転させると、開閉部材４００の昇降突起４３０が垂直ガイド溝２２１および螺旋状のガイド溝３１３に沿って上昇して開閉部材４００の上昇が行われる。これにより、ステム３１０の内周面に密着していた開閉部材４００の第１開閉部４１０がステム３１０の内周面から離れていきながら移動穴３１１を開放させる。
【００６６】
このとき、ボタン部２００の吐出穴２１０がステム３１０の連通穴３１２と位置あわせされ、開放された移動穴３１１が吐出穴２１０と連通するようになり、さらに、上述したのように、ボタン部２００のガイド突起２３０が下降防止爪５１２のガイド溝５１１の上方に移動し、使用者によるボタン部２００の押圧により容器本体１００のパウダーを外部に吐出することのできる状態になる。
【００６７】
図９ａ及び図９ｂは、本発明の一実施形態に係るパウダー吐出容器の例示的な動作を示す図である。
【００６８】
まず、図９ａを参照すると、図８の（ｂ）の状態において、使用者がボタン部２００を押圧すると、ステム３１０とピストン５３０が共に下降してチャンバ５２１内の空気圧が上昇する。したがって、ノズル部５４０の外周面に密着して空気を遮断している第１逆止弁５５０の第１封止部５５１が、空気圧によりノズル部５４０の外面から離れてしまい、これによりチャンバ５２１と空気移動通路３２２とが連通し、チャンバ５２１に貯蔵されていた一定量の空気が、空気移動通路３２２を通過しながら速度を上げ、低圧で移動穴３１１及び吐出穴２１０に噴射される。
【００６９】
これにより、移動穴３１１とパウダーの流入口６１０との間の空気圧差が増大するため、容器本体１００内に貯蔵されたパウダーは、チューブ６００に吸い込まれ、ノズル部５４０及びパウダー移動通路３２１を通って移動穴３１１に移動し、空気と共に吐出穴２１０を介して外部に噴射される。このとき、第２逆止弁５６０の第２封止部５６１は、下部ハウジング５２０の内側下端面に密着して空気流入穴５２２を密閉状態に保ち、チャンバ５２１内の空気が容器本体１００の内部に移動するのを防ぐ。
【００７０】
図９ｂを参照すると、使用者がボタン部２００の押圧を解除すると、バネＳの弾性力によりボタン部２００が元の位置に戻り、その結果、ピストン５３０が上昇し、チャンバ５２１内の空気圧が容器本体１００内の空気圧よりも低くなる。これにより、第１逆止弁５５０の第１封止部５５１は、ノズル部５４０の外面に密着するように戻り、これに対し、第２逆止弁５６０の第２封止部５６１は、下部ハウジング５２０の内側下端面から上側に離れてしまい、空気流入穴５２２を開放する。これにより、外部空気は、パウダー移動通路３２１、ノズル部５４０及びチューブ６００を通って容器本体１００内に吸い込まれ、このような空気は、空気流入穴５２２を介してチャンバ５２１部に流入してチャンバ５２１内の空気を補充する。ピストン５３０が昇降して元の位置に完全に戻ると、第２逆止弁５６０の第２封止部５６１は、再び下部ハウジング５２０の内側下端面に密着して空気流入穴５２２を密閉する。
【００７１】
以上のように、図面及び明細書に最適な実施形態が開示された。ここで、特定の用語が使用されたが、これは単に本発明を説明するための目的で使用されたものに過ぎず、意味を限定したり、特許請求の範囲に記載の本発明の範囲を制限したりするために使用されたものではない。よって、本技術分野において通常の知識を有する者であれば、これから種々の変形及び均等な他の実施形態が可能であるということが理解できる筈である。よって、本発明の真の技術的な保護範囲は、添付の特許請求の範囲の技術的な思想によって定められる。
【図１】
2021525150.tif 000003
【図２】
2021525150.tif 000004
【図３】
2021525150.tif 000005
【図４】
2021525150.tif 000006
【図５】
2021525150.tif 000007
【図６】
2021525150.tif 000008
【図７】
2021525150.tif 000009
【図８】
2021525150.tif 000010
【図９ａ】
2021525150.tif 000011
【図９ｂ】
2021525150.tif 000012
【国際調査報告】
2021525150.tif 000013
2021525150.tif 000014
2021525150.tif 000015
2021525150.tif 000016